(57)【特許請求の範囲】
【請求項１】
前面が開口した収納部に上端部に開口を有する箱状のゴミ収容器を出し入れ自在に収納し、ゴミ収容器内に上端部が開口したゴミ袋を入れ、ゴミ収容器の上端部にゴミ収容器の上端面にゴミ袋の開口縁部を押さえるためのゴミ袋押さえを上方からの嵌め込みにより着脱自在に取付け、収納部の上部に上方に収縮し且つ下方に伸張してゴミ収容器内のゴミを底部側に向けて圧縮するエアバックを設け、上記ゴミ袋押さえに磁性体を設け、この磁性体が近接することによってゴミ収容器が収納部に正常な収納位置に収納されたことを検知するリードスイッチを収納部に設け、ゴミ収容器を収納部に収めた際にゴミ袋押さえが下方に移動することを防止するストッパー部材を収納部内に設けて成ることを特徴とするゴミ減容器。
【請求項２】
上記収納部の奥部にストッパー部材を設けて成ることを特徴とする請求項１記載のゴミ減容器。
【請求項３】
上記収納部の両内側面に夫々ストッパー部材を設けて成ることを特徴とする請求項１記載のゴミ減容器。
【請求項４】
上記収納部の内側面の後端部にストッパー部材を設け、ストッパー部材の上面に後方に行くにつれて上方に傾斜する傾斜面を形成し、この傾斜面の前端部がゴミ袋押さえの下面よりも下方に位置し且つ後端部がゴミ袋押さえの下面よりも上方に位置するように設定して成ることを特徴とする請求項１又は請求項３記載のゴミ減容器。
【請求項５】
上記収納部の内側面の前後方向の略全長に亘ってストッパー部材を設けて成ることを特徴とする請求項１又は請求項３記載のゴミ減容器。
【発明の詳細な説明】
【０００１】
【発明の属する技術分野】
本発明は、ゴミ収容器の収納部への収納状態を検知するためのリードスイッチを設けたゴミ減容器に関するものである。
【０００２】
【従来の技術】
従来から、可燃ゴミを減容するためのゴミ減容器が知られている。このゴミ減容器は収納部４を備えており、収納部４には図１１（ａ）に示すように上端部に開口を有するゴミ収容器１を出し入れ自在に収納している。このゴミ収容器１内には上端部が開口したゴミ袋２が入っており、ゴミ収容器１の上端部にはゴミ収容器１の上端面にゴミ袋２の開口縁部を押さえるためのゴミ袋押さえ３を上方からの嵌め込みにより着脱自在に取付けている。収納部４の上部には上方に収縮し且つ下方に伸張してゴミ収容器１内のゴミを底部５側に向けて圧縮するエアバック６が設けられている。また上記ゴミ袋押さえ３には磁性体７を設けてあり、収納部４には磁性体７が近接することによってゴミ収容器１が収納部４に収まった状態であることを検知するリードスイッチ８が設けられている。
【０００３】
上記従来のゴミ減容器を使用してゴミを減容する場合は、ゴミ袋２内にゴミを入れ、エアバック６を伸張してゴミを圧縮することで行っていた。また、ゴミ減容器にはリードスイッチ８が設けられており、ゴミ収容器１の磁性体７がリードスイッチ８に近接することでゴミ収容器１が収納部４の正常な収納位置に納まった状態であることを検知していた。
【０００４】
しかしながら上記従来のゴミ減容器を使用してゴミを圧縮した場合には、図１１（ｂ）に示すように、圧縮によってゴミ収容器１内のゴミが外側に向かって圧縮され、もしくは圧縮によってゴミ収容器１内の内圧が上がるために、一時的にゴミ収容器１が外側に向かって膨らみ、ゴミ収容器１の上端面及びゴミ袋押さえ３が下方に下がってしまい、これによってゴミ袋押さえ３に設けた磁性体７がリードスイッチ８から離れ、ゴミ収容器１が収納部４に収容されていないと誤って検知してしまうことがあった。さらに上記のように磁性体７によりリードスイッチ８を動作した状態でのみエアバック４が伸縮動作を行うことができるように制御したゴミ減容器においては圧縮動作が途中で中断されてしまうといった問題があった。
【０００５】
【発明が解決しようとする課題】
本発明は上記の点に鑑みてなされたものであり、その目的とするところは、圧縮によってゴミ袋押さえが下方に移動することを防止し、ゴミ圧縮時においてもリードスイッチによって収納状態を正確に検知することができるゴミ減容器を提供することを課題とするものである。
【０００６】
【課題を解決するための手段】
上記課題を解決するために本発明に係るゴミ減容器は、前面が開口した収納部４に上端部に開口を有する箱状のゴミ収容器１を出し入れ自在に収納し、ゴミ収容器１内に上端部が開口したゴミ袋２を入れ、ゴミ収容器１の上端面にゴミ袋２の開口縁部を押さえるためのゴミ袋押さえ３をゴミ収容器１の上端部に上方からの嵌め込みにより着脱自在に取付け、収納部４の上部に上方に収縮し且つ下方に伸張してゴミ収容器１内のゴミを底部５側に向けて圧縮するエアバック６を設け、上記ゴミ袋押さえ３に磁性体７を設け、この磁性体７が近接することによってゴミ収容器１が収納部４に正常な収納位置に位置した状態であることを検知するリードスイッチ８を収納部４に設け、ゴミ収容器１を収納部４に収めた際にゴミ袋押さえ３が下方に移動することを防止するストッパー部材９を収納部４内に設けて成ることを特徴とするものである。
【０００７】
このような構成とすることで、ゴミ圧縮時にゴミ収容器１が変形してゴミ収容器の上端面が下方に移動しても、磁性体７を設けたゴミ袋押さえ３がストッパー部材９よりも下方に移動することがなくなり、ゴミ圧縮時のリードスイッチ８と磁性体７との距離を一定に保つことができる。
【０００８】
また請求項２記載のゴミ減容器は請求項１記載のゴミ減容器において、上記収納部４の奥部にストッパー部材９を設けて成ることを特徴とするものである。
【０００９】
上記のように収納部４の奥部にストッパー部材９を設けることで、ゴミ収容器１を出し入れする際にストッパー部材９が干渉し難くなる。
【００１０】
また請求項３記載のゴミ減容器は請求項１記載のゴミ減容器において、上記収納部４の両内側面に夫々ストッパー部材９を設けて成ることを特徴とするものである。
【００１１】
このように収納部４の両内側面にストッパー部材９を設けることで、ゴミ圧縮時にゴミ袋押さえ３の両側端部をストッパー部材９によって支持することが可能となり、ストッパー部材９がゴミ袋押さえ３の両側端部を支持することでゴミ袋押さえ３がストッパー部材９よりも下方に移動することをより一層防止することができ、またゴミ袋押さえ３は両ストッパー部材９によって正面視水平状態に保持することができ、これらによりゴミ圧縮時のリードスイッチ８と磁性体７との距離をより一層一定に保つことができる。
【００１２】
また請求項４記載のゴミ減容器は請求項１又は請求項３記載のゴミ減容器において、上記収納部４の内側面の後端部にストッパー部材９を設け、ストッパー部材９の上面に後方に行くにつれて上方に傾斜する傾斜面１０を形成し、この傾斜面１０の前端部がゴミ袋押さえ３の下面よりも下方に位置し且つ後端部がゴミ袋押さえ３の下面よりも上方に位置するように設定して成ることを特徴とするものである。
【００１３】
このようにストッパー部材９に傾斜面１０を設けることで、ゴミ収容器１収納時にはゴミ袋押さえ３が傾斜面１０に乗り上げて載置されてゴミ袋押さえ３とストッパー部材９との間に隙間がなくなり、これによりゴミ圧縮時にゴミ袋押さえ３が下方に移動することをより一層防止でき、ゴミ圧縮時のリードスイッチ８と磁性体７との距離をより一層一定に保つことができ、またストッパー部材９に傾斜面１０を設けることで、上記のようにストッパー部材９にゴミ袋押さえ３が載置されるようにしたにも関わらず、ゴミ収容器１をゴミ収容器１の上端部がストッパー部材９に当たることなく収納部４から出し入れすることができる。
【００１４】
また請求項５記載のゴミ減容器は請求項１又は請求項３記載のゴミ減容器において、上記収納部４の内側面の前後方向の略全長に亘ってストッパー部材９を設けて成ることを特徴とするものである。
【００１５】
このようにストッパー部材９を内側面の前後方向の略全長に亘って設けることで、ストッパー部材９はゴミ袋押さえ３の前後方向の全長を支持することが可能となり、より一層ゴミ袋押さえ３がストッパー部材９よりも下方に移動することを防止することができ、またゴミ袋押さえ３はストッパー部材９によって側面視水平状態に保持することができ、これらによってゴミ圧縮時のリードスイッチ８と磁性体７との距離をより一層保つことができる。
【００１６】
【発明の実施の形態】
以下、本発明を添付図面に示す実施形態に基づいて説明する。
【００１７】
ゴミ減容器１１は上方が開口した箱状のゴミ収容器１と、ポンプ１４の運転によってゴミ収容器１内のゴミを底部５側に向けて圧縮するエアバック６とよりなるもので、エアバック６は蛇腹状をした伸縮自在な蛇腹タンク１２と、蛇腹タンク１２の伸縮に連動して移動してゴミ収容器１内のゴミを圧縮する圧縮プレート１３とで構成してある。
【００１８】
図２に示すようにキャビネットより構成してある本体１５に前方が開口した収納部４を形成し、収納部４に引き出し体１６を引き出し自在に収納し、この引き出し体１６にゴミ収容器１が出し入れ自在に収納載置している。これによってゴミ収容器１が収納部４から出し入れ自在となっている。
【００１９】
引き出し体１６の前端部には蓋となる前板１７を立設してあり、引き出し体１６を押し込んだ状態で収納部４の前開口を閉じるようになっている。また、引き出し体１６は収納部４内の両内側面に設けたレール部１８に沿ってスライド自在となってあり、このレール部１８は図２に示すように収納部４の両内側面に設けた本体レール１９と、本体レール１９の内側面にスライド自在に接続した中間レール２０と、中間レール２０の内側面にスライド自在に接続し且つ内側面がスライド自在に引き出し体１６の外側面に接続された引き出し体レール２１とで多段に構成されており、この引き出し体１６を前方に引くことで、平面視において本体１５から完全に引き出し体１６を引き出せるようになっている。
【００２０】
引き出し体１６に載置されるゴミ収容器１は図１に示すように上端部に開口を有する箱状をしており、このゴミ収容器１内には上端部が開口したポリ袋等のゴミ袋２を入れている。ゴミ収容器１の上端部にはゴミ袋２を介してゴミ袋押さえ３が上方からの嵌め込みにより着脱自在に取りつけられている。このゴミ袋押さえ３は環状で且つ平面視方形状を有しており、ゴミ袋押さえ３の内周端部には下方に突出する内周片２２ａが設けられており、ゴミ袋押さえ３の外周端部には下方に突出する外周片２２ｂが設けられている。この内周辺２２ａと外周片２２ｂとでゴミ袋押さえ３に環状をし下方が開口した溝部２２を形成している。つまり、引き出し体１６を引き出した状態で、ゴミ収容器１内に上端部が開口したゴミ袋２を入れてゴミ収容器１の開口からゴミ袋２の上部を折り返してゴミ収容器１の外面側に出し、ゴミ袋押さえ３の溝部２２をゴミ収容器１の開口縁部に上方から嵌め込んで取付けることでゴミ袋２をゴミ収容器１に対して装着セットするものである。また上記内周片２２ａの下部には垂下片２３が設けられており、垂下片２３はゴミ収容器１取付け時においてゴミ袋２を介してゴミ収容器１の上部内面に沿って垂下しており、図３に示すように圧縮プレート１３を上方に移動させた際に圧縮プレート１３によりごみ袋２が上方にずり上げられるのを垂下片２３により防止し、またゴミ収容器１の上端部がゴミ袋押さえ３の溝部２２に嵌まり易くなるようにガイドしている。上記ゴミ袋押さえ３のゴミ収容器１収納時における後部の幅方向の中央には磁性体７が設けられている。
【００２１】
ゴミ収容器１の側壁にはゴミ袋２とゴミ収容器１との間の空気を逃がすための空気抜き孔２４が形成してあり、図４に示すように圧縮のために圧縮プレート１３が下降する際に、ゴミ収容器１の側壁とゴミ袋２との間の空気が空気抜き孔２４から抜けるようになっている。
【００２２】
ゴミ収容器１の内部の下部には段部が設けてあってエアバック６の伸張方向に対する伸張を規制するための伸張規制手段４２を構成している。つまり、エアバック６が伸張すると圧縮プレート１３が伸張規制手段４２である段部に当たり、それ以上エアバック６が伸張せず、過度にエアバック６が伸張してエアバック６が破損しないようにしてある。
【００２３】
収納部４の上部には底部５に開口を有する蛇腹タンク収納部２７が設けてあり、ポンプ１４の運転によって上方に収縮し且つ下方に伸張する伸縮自在な蛇腹タンク１２を縮めた状態で蛇腹タンク収納部２７内に収納できるようになっている。蛇腹タンク１２は上端部が蛇腹タンク収納部２７の天井部２８に取付けてあり、山部２９と谷部３０とが交互に連続する蛇腹状をした筒状をしていてその形状はゴミ容器１の底部５側に向かう程径が大きくなるような末広がり形状となっている。
【００２４】
収納部４の前端部の上部にはロックピン３１が上下移動自在に取付けてあり、このロックピン３１はばね３２により通常は下方に引き下げてあり、図５（ａ）に示すようにロックピン３１のロック部３３が収納部４内に収納された引き出し体１６の前板１７に設けたロック孔３４に嵌め込まれて引き出し体１６が引き出せないようになっている。このロックピン３１には操作部３５が設けてあり、蛇腹タンク１２を収縮した際に図５（ｂ）のように圧縮プレート１３により上記操作部３５が上方に押し上げられ、ロックピン３１のロック部３３が引き出し体１６の前板１７のロック孔３４から上方に抜け、引き出し体１６を引き出すことができるようになっている。
【００２５】
収納部４上部の奥部（後端部）の幅方向の中央にはゴミ収容器１を収納部４に収めた際にゴミ袋押さえ３が下方に移動することを防止する正面視逆Ｌ字状のストッパー部材９が設けられており、このストッパー部材９は上端部を蛇腹タンク収納部２７の外側面の下端部に接続されている縦片２５と、縦片２５の下端部から前方に突出する横片２６とで構成されており、横片２６の上面はゴミ袋押さえ３の下面と略同レベルに位置するように設定されている。
【００２６】
収納部４上部の後端部（奥側端部）の幅方向の中央にはゴミ収容器１を収納した際にゴミ袋押さえ３の磁性体７に近接するようにリードスイッチ８が設けられており、このリードスイッチ８は引き出し体１６の所定位置にゴミ収容器１を載設した状態で引き出し体１６を閉じてゴミ収容器１が正確な収納位置に収納されると（つまりゴミ収容器１の上開口が後述の圧縮プレート１３と上下方向に対向する位置になると）、磁性体７が収納部４に設けたリードスイッチ８に近接して対向する位置となり、磁性体７がリードスイッチ８を動作してゴミ収納容器１が正しくセットされたことを検出することができるようになっている。そして、磁性体７によりリードスイッチ８が動作した状態でのみ本体に設けられた操作・表示部４１を操作して後述するポンプ１４が運転されてエアバック６が伸縮動作を行うことができるように制御している。このため、ゴミ収容器１が収納部４に正しく収納してない状態で誤ってエアバック６が伸張動作してゴミ収容器１に当たり、伸縮機構やゴミ収容器１を破損することを防止することができる。
【００２７】
本体１５内にはポンプ１４（エアポンプ）が設けてあり、このポンプ１４と上記蛇腹タンク１２とは配管３６により接続してある。配管３６のポンプ１４側は図６に示すように、２経路３６ａ、３６ｂに分岐してあり、一経路３６ａはポンプ１４のエア吐出口３７に接続してあると共に他の一経路３６ｂはポンプ１４のエア吸入口３８に接続してある。上記２経路３６ａ、３６ｂにはそれぞれ３方弁よりなる切り換え弁３９ａ、３９ｂが設けてあり、ポンプ１４を運転して切り換え弁３９ａ、３９ｂを切り換えて図６の矢印ａ方向に空気が流れるようにすると蛇腹タンク１２内に空気を圧入して蛇腹タンク１２を下方に伸張させ（この場合切り換え弁３９ｂから外気がポンプ１４側に吸い込まれる）、また、切り換え弁３９ａ、３９ｂを切り換えて図６の矢印ｂ方向に空気が流れるようにすると蛇腹タンク１２内の空気を吸気してエアバック６を上方に収縮する（この場合切り換え弁３９ａから排気されるようになっている。）図中４０は制御部で上記換え弁３９ａ、３９ｂの切り換え制御やポンプ１４の運転制御を行うものであり、また、４１は操作・表示部で運転釦や運転表示ランプ等が設けてある。
【００２８】
キャビネットより構成してある本体１５には更に小物収納用引き出し４３、資源ゴミ収納引き出し４４、食品トレー・牛乳パック収納用引き出し４５、空き缶圧縮機４６が設けてある。
【００２９】
以下に上記構成を有するごみ減容器２の使用につき説明する。
【００３０】
まず収納部４にゴミ収容器１が収納されている状態にあるゴミ減容器１１（図７）から引き出し体１６を引き出してゴミ収容器１を収納部４から出し、引き出し体１６に載設しているゴミ収容器１内に紙やプラスチックのような可燃性ゴミを投入する。ここで引き出し体１６は前述したように平面視において本体１５から完全に引き出せるようになっているため、ゴミ収容器１を引き出し体１６に載設したままでゴミ収容器１の上方から容易にゴミを投入することができる。
【００３１】
次に、引き出し体１６を収納部４に押し込む。この時引き出し体１６を押し込んでゴミ収容器１が収納部４内の所定位置に至るとゴミ袋押さえ３に設けた磁性体７が収納部４に設けたリードスイッチ８に近接して、リードスイッチ８をオンにし、ゴミ収納容器１が収納部４に正常にセットされたことが検知される。またこの場合、収納部４の奥部にはストッパー部材９が設けられているため、ゴミ収容器１を出し入れする際にストッパー部材９が干渉し難くなり、ゴミ収容器１を収納部４から容易に出し入れすることができる。上記のようにゴミ収容器１を正常の収納位置まで押し込むと、ストッパー部材９の横片２６の直上にはごみ袋押さえ３の外周片２２ｂの下面が位置することとなる。
【００３２】
この状態で、操作・表示部４１に設けた操作釦を操作してエアバック６を駆動する。すなわち、ポンプ１４を運転して切り換え弁３９ａ、３９ｂを切り換えて図６の矢印ａ方向に空気を流して蛇腹タンク１２内に空気を圧入して蛇腹タンク１２を伸張させて、蛇腹タンク１２の下端部に設けた圧縮プレート１３により紙やプラスチック等の可燃性ゴミを圧縮する。このように圧縮プレート１３が下降すると圧縮プレート１３によるロックピン３１の操作部３５の押上げが解除されるのでロックピン３１が下降してロック部３３が引き出し体１６の前板１７のロック孔３４に嵌まり込み、引出し体１６を引き出すことができないようになっている。つまり、蛇腹タンク１２の伸張動作時に誤って引き出し体１６を引き出して圧縮機構を損傷したりすることがない。
【００３３】
上記ゴミ圧縮時には圧縮によってゴミ収容器１内のゴミが外側に向かって圧縮され、もしくは圧縮によってゴミ収容器１内の内圧が上がるために、一時的にゴミ収容器１が外側に向かって膨らみ、ゴミ収容器１の上端面が下方に下がる場合がある。このような場合、本実施形態においては前述したように収納部４の内側面にストッパー部材９を設けているので、ゴミ圧縮時にゴミ収容器１の上端面が下方に移動しても、磁性体７を設けたゴミ袋押さえ３がストッパー部材９の横片に当たり、ゴミ袋押さえ３がストッパー部材９よりも下方に移動することを防止し、リードスイッチ８と磁性体７との距離を一定に保つことができ、またこれによってリードスイッチ８による収納状態の正確な検知状態を維持することができ、ゴミ圧縮時におけるリードスイッチ８による収納状態の検知を正確なものとすることができる。さらに上記のように磁性体７によりリードスイッチ８を動作した状態でのみエアバック４が伸縮動作を行うことができるように制御したゴミ減容器１１においては、圧縮動作が途中で中断されるといった問題を改善することができる。またこの場合、前述したように垂下片２３はゴミ袋２を介してゴミ収容器１の上部内面に沿って垂下しているため、ゴミ圧縮時においてもゴミ収容器１の上端部はゴミ袋押さえ３の垂下片２３と溝部２２の外周壁との間に嵌め込まれており、ゴミ袋押さえ３にてゴミ袋２を押さえた状態を維持している。
【００３４】
圧縮が終わると、切り換え弁３９ａ、３９ｂを切り換えて図６の矢印ｂ方向に空気を流してエアバック６内の空気を吸引してエアバック６を収縮させる。この場合、圧縮プレート１３により上記ロックピン３１の操作部３５が上方に押し上げられ、ロックピン３１のロック部３３が引き出し体１６の前板１７のロック孔３４から上方に抜け、引き出し体１６を引き出せる状態となる。またエアバック６収縮時においてもゴミ収容器１の上端部はゴミ袋押さえ３の垂下片２３と溝部２２の外周壁との間に嵌め込まれた状態を維持しているため、溝部２２にゴミ収容器１の上端部がスムーズに嵌まる。
【００３５】
エアバック６が収縮する過程で若干のゴミの復元が生じるが、およそ６０％以上の減容が可能であり、例えば、４０リットル程度のゴミ収容器１で７０リットル程度のゴミ収容が可能となり、そのため例えば１週間に２度のゴミ出しをおこなっていたのが１回ですむ他、屋外のゴミ箱へのゴミの移し替えが不要となりゴミ出しに伴う労働が軽減されることになる。なお上記実施形態においては、収納部４の奥部にストッパー部材９を設けたが、収納部４内の奥部以外の箇所にストッパー部材９を設けても良いものである。
【００３６】
また上記ストッパー部材９を図８に示すように収納部４の両内側面の後端部に夫々設けても良い。このように収納部４の両内側面にストッパー部材９を設けることで、ゴミ圧縮時にゴミ袋押さえ３の両側端部をストッパー部材９によって支持することが可能となり、またゴミ袋押さえ３は両ストッパー部材９によって正面視水平状態に保持することができるため、ゴミ袋押さえ３がストッパー部材９よりも下方に移動することをより一層防止することができる。またゴミ袋押さえ３は両ストッパー部材９によって正面視水平状態に保持できるために、エアバック６の圧縮終了後の収縮時ににゴミ収容器１の上端部が溝部２２に嵌まり易くなり、ゴミ袋押さえ３がゴミ収容器１の上端部に乗り上げることを防止することができる。
【００３７】
また上記ストッパー部材９を図９に示すように上記収納部４の内側面の後端部にストッパー部材９を設け、ストッパー部材９の上面に後方に行くにつれて上方に傾斜する傾斜面１０を形成し、この傾斜面１０の前端部がゴミ袋押さえ３の下面よりも下方に位置し且つ後端部がゴミ袋押さえ３の下面よりも上方に位置するように設定しても良い。本実施形態においてはストッパー部材９を収納部４の内側面に傾けて取付けることで、ストッパー部材９の横片２６の上面が傾斜面１０となっている。このようにストッパー部材９に傾斜面１０を設けることで、ゴミ収容器１収納時にはゴミ袋押さえ３が傾斜面１０に乗り上げて載置されてゴミ袋押さえ３とストッパー部材９との間に隙間がなくなり、これによりゴミ圧縮時にゴミ袋押さえ３が下方に移動することをより一層防止でき、リードスイッチ８と磁性体７との距離をより一層一定保つことができ、またストッパー部材９に傾斜面１０を設けることで、上記のようにストッパー部材９にゴミ袋押さえ３が載置されるようにしたにも関わらず、ゴミ収容器１をゴミ収容器１の上端部がストッパー部材９に当たることなく収納部４からスムーズに出し入れすることができる。
【００３８】
また図１０に示すように上記収納部４の内側面の前後方向の略全長に亘ってストッパー部材９を設けても良い。なお本実施形態においては収納部４の両内側面の前後方向の略全長に亘ってストッパー部材９を設けている。このようにストッパー部材９を内側面の前後方向の略全長に亘って設けることで、ストッパー部材９はゴミ袋押さえ３の前後方向の全長を支持することが可能となり、またゴミ袋押さえ３は両ストッパー部材９によって正面視水平状態に保持することが可能となり、より一層ゴミ袋押さえ３がストッパー部材９よりも下方に移動することを防止することができる。またゴミ袋押さえ３はストッパー部材９によって側面視水平状態に保持できるために、エアバック６の圧縮終了後の収縮時にゴミ収容器１の上端部が溝部２２に嵌まり易くなり、ゴミ袋押さえ３がゴミ収容器１の上端部に乗り上げることを防止することができる。また本実施形態においては収納部４の両内側面の前後方向の略全長に亘ってストッパー部材９を設けているので、ゴミ袋押さえ３は両ストッパー部材９によって正面視水平状態においても保持することができ、これによってエアバックの圧縮終了後の収縮時に溝部２２にゴミ収容器１の上端部がより一層嵌まり易くなる。
【００３９】
【発明の効果】
上記のように本発明の請求項１記載の発明にあっては、ゴミ圧縮時にゴミ収容器の上端面が下方に移動しても、磁性体を設けたゴミ袋押さえがストッパー部材よりも下方に移動することがなくなり、これによってゴミ圧縮時のリードスイッチと磁性体との距離を保つことができ、ゴミ圧縮時におけるリードスイッチによる収納状態の検知を正確なものとすることができるものである。
【００４０】
また請求項２記載の発明にあっては、上記請求項１記載の発明の効果に加えて収納部の奥部にストッパー部材を設けることで、ゴミ収容器を収納部から出し入れする際にストッパー部材が干渉し難くなり、容易にゴミ収容器を出し入れすることができる。
【００４１】
また請求項３記載の発明にあっては、上記請求項１記載の発明の効果に加えて、収納部の両内側面にストッパー部材を設けることで、ゴミ圧縮時にゴミ袋押さえの両側端部をストッパー部材によって支持することが可能となり、ストッパー部材がゴミ袋押さえの両側端部を支持することでゴミ袋押さえがストッパー部材よりも下方に移動することをより一層防止することができ、またゴミ袋押さえは両ストッパー部材によって正面視水平状態に保持することができ、これらによりゴミ収容器収納時のリードスイッチと磁性体との距離をより一層一定に保つことができる。
【００４２】
また請求項４記載の発明にあっては、上記請求項１又は請求項３記載の発明の効果に加えて、このようにストッパー部材に傾斜面を設けることで、ゴミ収容器収納時にはゴミ袋押さえが傾斜面に乗り上げて載置されてゴミ袋押さえとストッパー部材との間に隙間がなくなり、これによりゴミ圧縮時ににゴミ袋押さえが下方に移動することをより一層防止でき、リードスイッチと磁性体との距離をより一層一定保つことができ、またストッパー部材に傾斜面を設けることで、このようにストッパー部材にゴミ袋押さえが載置されるようにしたにも関わらず、ゴミ収容器をゴミ収容器の上端部がストッパー部材に当たることなくスムーズに収納部から出し入れすることができる。
【００４３】
また請求項５記載の発明にあっては、上記請求項１又は請求項３記載の発明の効果に加えて、ストッパー部材を内側面の前後方向の略全長に亘って設けることで、ストッパー部材はゴミ袋押さえの前後方向の全長を支持することが可能となり、より一層ゴミ袋押さえがストッパー部材よりも下方に移動することを防止することができ、またゴミ袋押さえはストッパー部材によって側面視水平状態に保持することができ、これらによってリードスイッチと磁性体との距離をより一層保つことができる。
【図面の簡単な説明】
【図１】本発明の一実施形態を示す正面視説明図である。
【図２】同上のゴミ減容器の引き出し体を引き出した状態を示す斜視図である。
【図３】同上の垂下片によりゴミ袋が上方にずり上がるのを防止している状態を示す説明図である。
【図４】同上のゴミ袋とゴミ収容器との間の空気が空気抜き孔から抜けることを説明する説明図である。
【図５】（ａ）は同上のロックピンによるロックを解除した状態の断面図であり、（ｂ）はロックピンによるロックを行っている状態の断面図である。
【図６】同上の蛇腹タンクの伸縮をポンプにより行う機構の説明図である。
【図７】同上のゴミ減容器の全体を示す斜視図である。
【図８】（ａ）は収納部の両内側面にストッパー部材を設けた実施形態を示す正面視説明図であり、（ｂ）は（ａ）の側面視説明図である。
【図９】（ａ）はストッパー部材に傾斜面を形成した実施形態を示す正面視説明図であり、（ｂ）は（ａ）の側面視説明図である。
【図１０】（ａ）は収納部の前後方向の略全長に亘ってストッパー部材を設けた実施形態を示す正面視説明図であり、（ｂ）は（ａ）の側面視説明図である。
【図１１】（ａ）は従来のゴミ減容器を示す正面視説明図であり、（ｂ）は（ａ）のゴミ圧縮時の状態を示す説明図である。
【符号の説明】
１    ゴミ収容器
２    ゴミ袋
３    ゴミ袋押さえ
４    収納部
５    底部
６    エアバック
７    磁性体
８    リードスイッチ
９    ストッパー部材
１０  傾斜面
【図１】
0003724440.tif 000002
【図２】
0003724440.tif 000003
【図３】
0003724440.tif 000004
【図４】
0003724440.tif 000005
【図５】
0003724440.tif 000006
【図６】
0003724440.tif 000007
【図７】
0003724440.tif 000008
【図８】
0003724440.tif 000009
【図９】
0003724440.tif 000010
【図１０】
0003724440.tif 000011
【図１１】
0003724440.tif 000012